【事件の表示】
　平成　９年特許願第２８４５７２号「光情報媒体」拒絶査定不服審判事件〔平成１１年　４月２３日出願公開、特開平１１−１１０８２４〕について、次のとおり審決する。
【結　論】
　本件審判の請求は、成り立たない。
【理　由】
１．手続の経緯、本願発明
　本願は、平成９年９月３０日の出願であって、請求項１，２に係る発明は、平成１６年１月２２日付け手続補正により補正された明細書の特許請求の範囲の請求項１，２に記載されたとおりのものと認められるところ、そのうち請求項１に係る発明（以下、「本願発明」という。）は次のとおりである。
　【請求項１】「透光性基板（１１）上に、少なくとも色素記録層（１３）、反射層（１４）、透光性を有する保護層（１５）を順次形成し、保護層（１５）の上に、印刷により視覚的な表示を施した光情報媒体において、前記保護層（１５）の表面の視覚的な表示を形成する印刷層（１６）が保護層（１５）の表面上に紫外線硬化性樹脂系インクを使用して印刷することにより形成され、その膜厚が１０〜３０μｍであると共に、反射層（１４）が白色系金属膜からなることを特徴とする光情報媒体。」
　
２．先願明細書
　原査定の拒絶の理由に引用された、本願出願の日前の出願であってその出願後に出願公開された特願平８−３２２７６８号（特開平１０−１６２４３８号公報参照、平成８年１２月３日出願、平成１０年６月１９日公開）の願書に最初に添付した明細書（以下、「先願明細書」という。）には、
　（i）「【請求項１】 
 透明基板上に、少なくとも光吸収層、光反射層、さらに保護層
を順次積層した光記録媒体
ａ）親水性かつ非水溶性であって、モース硬度が３以下の粒子を含有し、
ｂ）表面の算術平均粗度Ｒａが０．３〜２．０μｍであり、
ｃ）表面の色度がＬａｂ空間において、ｂ値が＋５〜−５である、ことを特徴とする光記録媒体。」（【特許請求の範囲】の【請求項１】参照）、及び、
　（ii）「【０００１】【発明の属する技術分野】本発明は表面印刷性が良好で、かつ
印刷表面の白度が高く、色彩鮮明性に優れた光記録媒体に関する
　（iii）「【０００５】（前略）・・・。一方、一般に
光反射層としては
て高反射率を有する材質として金が用いられている。上記の方法ではインクの定着性については改善されたものの印刷受容層表面が金色になるため、印字した絵柄、特に黄色部分が鮮明に見えないという別の問題が生じている
　（iv）「【００１０】
光吸収層を形成する材質としては、好ましくは有機色素が用いられる
　（v）「【００１２】
光反射層としては
表面白色度の点から
銀、白金、アルミニウムを使用すると、印刷受容層表面の白色度が増し、印字した文字や絵柄が鮮明に見えるため好ましい
　（vi）「【００１４】印刷受容層、または
印刷受容層を兼ねた保護層
　（vii）「【００２３】前述のように、
反射層に特定の色調を持たない材質のもの、例えば銀を５０％以上含む金属または合金を使うとより効果が高まる。また、保護層を光に対して不透明なものとすれば、反射層など下層の色調の影響を受けにくくなる
【００２４】また、
反射層の色調を打ち消すために
　（viii）「【００５９】保護層と印刷受容層との間には、必要に応じて第二の保護層、接着層、色素拡散防止層、弾性層などの中間層を有していても良い。また、本発明のような印刷受容層は、全面にまたは部分的に設けられていても良い。印刷受容層の厚さは、印刷性、保護膜としての機能、製造のしやすさやコストなどを考慮して決められるが、おおよそ４〜２０μｍ程度が好ましく、より好ましくは５〜１５μｍ程度である。」（段落【００５９】参照）こと、
　（ix）「【００６５】
本発明の光記録媒体に使用されるインクは
紫外線硬化インク
印刷受容層に文字等を印刷する
　（ix）「【００６６】【実施例】以下に実施例、比較例を挙げて本発明をより具体的に説明するが、本発明はその要旨を超えない限り、以下の実施例に限定されるものではない。
〔実施例１〕
透明基板
光吸収層は、含金属アゾ色素
【００６７】次いで、
光吸収層の上に光反射層として、平均厚さ８０ｎｍの銀膜
【００６８】その上に、表−１の実施例１に示した組成の塗布液をスクリーン印刷により塗布し、紫外線照射装置で２４０ｍＪ／ｃｍ2の強さの紫外線を照射して印刷受容層を作製した。使用した親水性粒子は、絹糸を粉砕し、微粉化したもので、平均粒径５μｍである（出光石油化学（株）製）。この粒子を常温の水で１０分間抽出したときの減量は５重量％以下であった。また印刷受容層の厚さは１０μｍであった。
【００６９】得られた光記録媒体の表面粗度（Ｒａ）は１．２０μｍであり、また、上記光記録媒体を、測色色差計ＮＤ−１００１ＤＰ（日本電色工業社製）を用いて、その色度を測定したところ、色差Ｌａｂ値はＬ値７７．２、ａ値−５．８、ｂ値２．７であった。次に、バルブジェット方式およびピエゾ方式のＣＤ−ＲＯＭプリンターでカラー印刷を行った所、色のにじみが少ない等の印刷性にすぐれ、印刷インキの乾燥性が早くしかも印字したカラー印刷物の色彩鮮明性も優れていた。」（段落【００６６】〜【００６９】参照）こと、
　（xi）「【００９０】〔比較例１〕
光反射層がＡｕ膜である
Ａｕ反射層の金色の影響で、特に黄色、色彩鮮明性に劣るものであった
　
　これらの摘示からみて、先願明細書には、次の発明（以下、「先願発明」という。）が開示されているものと認められる。
　「透明基板上に、少なくとも有機色素からなる光吸収層、光反射層、さらに印刷受容層を兼ねた保護層を順次積層し、該保護層上に紫外線硬化インクを使用して印刷することにより文字や絵柄を印字した印刷層が形成され、光反射層が銀、白金、アルミニウムなどの金属あるいはこれの合金膜からなる光記録媒体。」
　
３．対比、判断
　本願発明と先願発明を対比する。
　（ａ）先願発明の光反射層の「銀、白金、アルミニウムなどの金属あるいはこれの合金膜」は、それらの金属膜の材質が本願発明の反射層の白色系金属膜の材質として例示されているもの（本願明細書段落【０００７】参照）であることからみて、本願発明の「白色系金属膜」に相当する。
　（ｂ）先願発明の「有機色素からなる光吸収層」は、本願発明の「色素記録層」に相当する。
　（ｃ）先願発明の「該保護層上に紫外線硬化インクを使用して印刷することにより文字や絵柄を印字した印刷層」は、文字や絵柄を印刷することが「印刷により視覚的な表示を施す」ことに他ならず、紫外線硬化インクが「紫外線硬化性樹脂インク」に他ならないから、本願発明の「保護層の表面上に、印刷により視覚的な表示を施した」こと及び「前記保護層の表面の視覚的な表示を形成する印刷層が保護層（１５）の表面上に紫外線硬化性樹脂系インクを使用して印刷することにより形成され」ることに相当する。
　
　してみると、両発明は、
　「透光性基板上に、少なくとも色素記録層、反射層、保護層を順次形成し、保護層の表面上に、印刷により視覚的な表示を施した光情報媒体において、前記保護層の表面の視覚的な表示を形成する印刷層が保護層の表面上に紫外線硬化性樹脂系インクを使用して印刷することにより形成され、反射層が白色系金属膜からなる光情報媒体。」で少なくとも一致する。
　本願発明では、更に、次の（１），（２）の点を構成として規定しているので、先願発明にそのような開示があるか検討する。
　（１）保護層に関し、「透光性を有する」と規定している。
　（２）印刷層の膜厚に関し、「その膜厚が１０〜３０μｍである」と規定している。
　
　（１）の点について
　先願明細書段落【０００５】の光反射層として金が用いられている場合に印刷受容層表面が金色になる旨の記載や同書段落【００１２】の印刷受容層表面の白色度が増すことは、印刷受容層が光を透過することを強力に示唆し、同書段落【００２３】の効果が高まるのは、印刷受容層が光を透過するためと認められ、同書段落【００９０】の記載の反射層の金色の影響を受けるのは、印刷受容層が光を透過するからと認められることを勘案すれば、先願発明の印刷受容層である保護層は、透光性であることを意味し、少なくともそのような透光性である場合を包含しているものと認められる。
　よって、先願発明には、透光性との表現はなくとも、印刷受容層である保護層が透光性であることの実質的な開示があるというべきである。
　
　（２）の点について
　透明基板上に、有機色素を含有する記録層、金属反射層、保護層および印刷部を順次積層した光記録媒体において、印刷部の硬化収縮を考慮してその膜厚を決めること、例えば３〜２０μｍ程度とすることは、例えば特開平６−２４３５０６号公報（請求項１，段落【０００９】，【００３２】など参照）にも記載のように周知の事項であるから、先願発明において、硬化収縮を伴う光硬化性インクを用いる場合にその硬化収縮を考慮して印刷層の膜厚として通常採用されるであろう１０〜２０μｍ程度の範囲を採用することは当業者が必要に応じてなし得た単なる設計事項というべきである。
　
４．むすび
　以上のとおりであるから、本願発明は、先願明細書に記載された発明と同一であり、しかも、本願発明の発明者が上記先願明細書に記載された発明の発明者と同一であるとも、また本願の出願時に、その出願人が他の出願の出願人と同一であるとも認められないので、本願発明は、特許法第２９条の２の規定により特許を受けることができない。
　よって、結論のとおり審決する。